(57)【要約】【課題】初期設定作業の効率化を図るとともに初期設定ミスを防止し得る決済システムを提供する。【解決手段】キッティングセンター１に配置される設定端末４０は、決済端末２０からの要求に応じて当該決済端末２０を識別する個体識別情報に対応してメモリ４２に記憶される初期設定用情報等を、その決済端末２０に対して通信部４５を用いて送信する。そして、決済端末２０は、キッティングセンター１にて、上記要求に応じて設定端末４０から決済端末側通信手段を介して取得した初期設定用情報等に基づいて、当該決済端末２０に対する初期設定作業が行われた後、決められた配置先に配送される。【選択図】図１
2016012297.tif 000002
【特許請求の範囲】
【請求項１】
複数の決済端末と、前記複数の決済端末に対してそれぞれ初期設定作業を行うためにキッティングセンターに配置される設定端末とを備え、前記キッティングセンターにて前記設定端末を用いて初期設定作業がなされた前記決済端末が、決められた配置先にそれぞれ配送されて運用される決済システムであって、
前記設定端末は、
前記決済端末を識別する個体識別情報と当該決済端末の配置先に応じた初期設定作業を行うために必要な初期設定用情報とが関連付けられて記憶される記憶手段と、
前記決済端末と通信を行うための設定端末側通信手段と、
前記決済端末からの要求に応じて当該決済端末の前記個体識別情報に対応する前記初期設定用情報を、前記決済端末に対して前記設定端末側通信手段を用いて送信する送信手段と、を備え、
前記決済端末は、
前記設定端末を含めた外部機器と通信を行うための決済端末側通信手段と、
前記要求に応じて前記設定端末から前記決済端末側通信手段を介して取得した前記初期設定用情報に基づいて当該決済端末に対する初期設定作業を行う設定手段と、
を備えることを特徴とする決済システム。
【請求項２】
前記決済端末は、前記配置先にて利用可能な所定のネットワークを介して決済サーバと通信することで決済処理が可能であって、
前記初期設定用情報には、前記所定のネットワークに接続するための接続情報が含まれることを特徴とする請求項１に記載の決済システム。
【請求項３】
前記決済端末側通信手段を用いて前記設定端末に通信可能に接続するための初期設定用接続情報が予め記憶される非接触通信媒体を備え、
前記決済端末は、
前記決済端末側通信手段を用いて前記非接触通信媒体と通信することで取得した前記初期設定用接続情報に基づいて前記設定端末と通信する通信方法を選択して設定する選択手段を備えることを特徴とする請求項１または２に記載の決済システム。
【請求項４】
前記決済端末側通信手段を用いて前記設定端末に通信可能に接続するための初期設定用接続情報が光学的に読み取り可能な情報コードを備え、
前記決済端末は、
前記情報コードを光学的に読み取る光学的情報読取手段と、
前記光学的情報読取手段を用いて前記情報コードを読み取ることで取得した前記初期設定用接続情報に基づいて前記設定端末と通信する通信方法を選択して設定する選択手段を備えることを特徴とする請求項１または２に記載の決済システム。
【請求項５】
前記送信手段は、前記決済端末からの要求に応じて、前記初期設定用情報に加えていずれの配置先でも利用可能な共通情報を、前記決済端末に対して前記設定端末側通信手段を用いて送信することを特徴とする請求項１〜４のいずれか一項に記載の決済システム。
【請求項６】
前記設定端末は、前記送信手段により送信される情報の少なくとも一部を暗号化する暗号化手段を備えることを特徴とする請求項１〜５のいずれか一項に記載の決済システム。
【発明の詳細な説明】
【技術分野】
【０００１】
本発明は、複数の決済端末に対して初期設定作業（キッティング作業）を行う決済システムに関するものである。
【背景技術】
【０００２】
電子マネー等を取り扱う決済端末では、導入の際に行われる初期設定作業（キッティング作業）時に決済端末に入力される初期設定用情報として、ＩＰアドレスや電子マネーセンターが管理する決済サーバに接続するための接続情報など複数種類の情報が必要となる。このような初期設定用情報は、運用上、端末毎にユニークな値を設定する必要がある場合が多い。一方、決済端末ごとにキーボード等を操作して初期設定用情報を手入力すると、キッティング作業に大変手間がかかってしまうだけでなく、このキッティング作業時に入力ミスが発生しやすいという問題がある。また、決済端末ごとに用意された個別の情報コードを読み取る場合でも、誤って別の情報コードを読み取ってしまったためにミスが生じる場合がある。
【０００３】
このような問題を解決する技術として、例えば、下記特許文献１に開示される決済端末装置の設定システムが知られている。この設定システムでは、カード会社に対して携帯通信端末のメールアドレスを記載した申込書を用いて加盟申し込み手続きを行うことで、その申込書の内容がカード会社ホストのデータベースに登録される。そして、データベースに蓄積されたデータは、締め日毎に決済端末装置メーカのメーカホストへ転送される。メーカホストでは、設置可能日に近づいた端末管理番号を抽出して、決済端末装置の出荷指示がなされ、登録された携帯通信端末に対して端末管理番号や決済端末設置先の電話回線状況などを含めた情報がメール送信される。そして、決済端末装置の設置時には、その画面に表示されたガイダンスに従うことで、携帯通信端末から初期接続情報が受信される。決済端末装置は、携帯通信端末から受信した初期接続情報を用いて回線設定状態を把握することができ、メーカホストへアクセスすることで、その他の端末設定情報を受信することができる。これにより、キッティング作業時に作業者等が申込書の内容を決済端末装置に対してキー入力する必要がなくなり、現地作業でのキー入力ミスをなくしている。
【先行技術文献】
【特許文献】
【０００４】
【特許文献１】特開２００５−２６７１３６号公報
【発明の概要】
【発明が解決しようとする課題】
【０００５】
ところで、上述のような構成では、決済端末は、電子マネー導入に必要な情報をメーカホストから取得しているが、その回線へ接続するための初期接続情報は、別途用意した携帯通信端末を用いて取得する必要がある。そうすると、通常の決済処理には使用しない携帯通信端末をキッティング作業のためだけに用意して契約する必要があるという問題がある。
【０００６】
本発明は、上述した課題を解決するためになされたものであり、その目的とするところは、初期設定作業の効率化を図るとともに初期設定ミスを防止し得る決済システムを提供することにある。
【課題を解決するための手段】
【０００７】
上記目的を達成するため、特許請求の範囲の請求項１に記載の発明は、複数の決済端末（２０）と、前記複数の決済端末に対してそれぞれ初期設定作業を行うためにキッティングセンター（１）に配置される設定端末（４０）とを備え、前記キッティングセンターにて前記設定端末を用いて初期設定作業がなされた前記決済端末が、決められた配置先にそれぞれ配送されて運用される決済システム（１０）であって、前記設定端末は、前記決済端末を識別する個体識別情報と当該決済端末の配置先に応じた初期設定作業を行うために必要な初期設定用情報とが関連付けられて記憶される記憶手段（４２）と、前記決済端末と通信を行うための設定端末側通信手段（４５）と、前記決済端末からの要求に応じて当該決済端末の前記個体識別情報に対応する前記初期設定用情報を、前記決済端末に対して前記設定端末側通信手段を用いて送信する送信手段（４１）と、を備え、前記決済端末は、前記設定端末を含めた外部機器と通信を行うための決済端末側通信手段（２５，２８，２９）と、前記要求に応じて前記設定端末から前記決済端末側通信手段を介して取得した前記初期設定用情報に基づいて当該決済端末に対する初期設定作業を行う設定手段（２１）と、を備えることを特徴とする。
なお、上記各括弧内の符号は、後述する実施形態に記載の具体的手段との対応関係を示すものである。
【発明の効果】
【０００８】
請求項１の発明では、キッティングセンターに配置される設定端末は、決済端末からの要求に応じて当該決済端末を識別する個体識別情報に対応して記憶手段に記憶される初期設定用情報を、その決済端末に対して設定端末側通信手段を用いて送信する。そして、決済端末は、キッティングセンターにて、上記要求に応じて設定端末から決済端末側通信手段を介して取得した初期設定用情報に基づいて、設定手段により当該決済端末に対する初期設定作業が行われた後、決められた配置先に配送される。
【０００９】
これにより、キッティングセンターにて設定端末を用いて初期設定作業（キッティング作業）がなされた決済端末が、決められた配置先にそれぞれ配送されて運用されるため、初期設定作業がなされることなく配置先に配送された決済端末に対して個々に初期設定作業がなされる場合と比較して、より多くの決済端末に対して一括して初期設定作業を行うことができ、初期設定作業の効率化を図ることができる。特に、決済端末では、設定端末に対して要求するだけで初期設定用情報が取得されるため、作業者等がデータ等を手入力操作する必要もないので、入力ミスに基づく初期設定ミスを防止することができる。したがって、携帯通信端末等を別途用意することなく、初期設定作業の効率化を図るとともに初期設定ミスを防止することができる。
【００１０】
請求項２の発明では、初期設定用情報には、配置先にて所定のネットワークに接続するための接続情報が含まれるため、配置先に配送された決済端末は、別途、初期設定作業を行うことなく所定のネットワークに接続することができる。これにより、配置先が所定のネットワークへの接続を必要とする使用環境であっても、初期設定作業の効率化を図るとともに初期設定ミスを防止することができる。
【００１１】
請求項３の発明では、決済端末において、決済端末側通信手段を用いて非接触通信媒体と通信することで取得した初期設定用接続情報に基づいて、選択手段により、設定端末と通信する通信方法が選択されて設定される。これにより、決済端末と設定端末との間の通信方法として、Ｗｉ−Ｆｉ（登録商標）やBluetooth（登録商標）等、複数種類の通信方法を利用可能であっても、非接触通信媒体と通信することで１つの通信方法を容易に選択して設定することができる。
【００１２】
請求項４の発明では、決済端末において、光学的情報読取手段を用いて情報コードを読み取ることで取得した初期設定用接続情報に基づいて、選択手段により、設定端末と通信する通信方法が選択されて設定される。これにより、決済端末と設定端末との間の通信方法として、Ｗｉ−ＦｉやBluetooth等、複数種類の通信方法を利用可能であっても、情報コードを読み取ることで１つの通信方法を容易に選択して設定することができる。
【００１３】
請求項５の発明では、送信手段により、決済端末からの要求に応じて、初期設定用情報に加えていずれの配置先でも利用可能な共通情報が、その決済端末に対して設定端末側通信手段を用いて送信される。これにより、共通情報に基づく設定作業をキッティングセンターにて行うことができ、初期設定作業だけでなく通常運用のための設定作業の少なくとも一部をも配置先への配送前に行うことができる。
【００１４】
請求項６の発明では、送信手段により送信される情報の少なくとも一部が暗号化手段により暗号化されるため、決済に関連するような秘匿性の高い情報でも安全に送信でき、キッティング作業に関するセキュリティ性を高めることができる。
【図面の簡単な説明】
【００１５】
【図１】本実施形態に係る決済システムの構成を概略的に例示する説明図である。
【図２】決済端末の電気的構成を概略的に例示するブロック図である。
【図３】設定端末の電気的構成を概略的に例示するブロック図である。
【図４】設定端末にデータベース化された初期設定用情報を例示する説明図である。
【図５】決済端末の制御部にて実行される通信方法選択処理の流れを例示するフローチャートである。
【図６】設定端末の制御部にて実行される初期設定用情報等送信処理の流れを例示するフローチャートである。
【図７】決済端末の制御部にて実行される初期設定処理の流れを例示するフローチャートである。
【図８】キッティング処理の流れを例示するシーケンス図である。
【発明を実施するための形態】
【００１６】
以下、本発明の決済システムを具現化した一実施形態について、図面を参照して説明する。なお、図１は、本実施形態に係る決済システム１０の構成を概略的に例示する説明図である。
本実施形態に係る決済システム１０は、決済用の記録媒体（例えば、ＩＣカード）に記録された電子マネー等の金銭情報を利用して決済を行う複数の決済端末２０をそれぞれ管理するシステムである。また、図１に示すように、決済システム１０は、各決済端末２０に加えてこれら各決済端末２０に対してそれぞれ初期設定作業（キッティング作業）を行うための設定端末４０を備えており、キッティングセンター１にて設定端末４０を用いてキッティング作業がなされた決済端末２０が、決められた配置先にそれぞれ配送されて運用されるように構成されている。
【００１７】
まず、決済端末２０の構成について、図２を参照して説明する。なお、図２は、決済端末２０の電気的構成を概略的に例示するブロック図である。
決済端末２０は、決済用の記録媒体に記録された電子マネー等を利用して決済を行う携帯型の端末であり、バーコードや二次元コードなどの情報コードを読み取る情報コードリーダとしての機能を兼ね備えるように構成されている。決済端末２０は、配置先の運用店舗にて店舗アクセスポイント（図示略）を利用して所定のネットワークを介して電子マネーセンターが管理する決済サーバ（図示略）と通信可能状態となることで、決済処理が可能となる。
【００１８】
図２に示すように、決済端末２０は、全体的制御を司る制御部２１を備えており、この制御部２１に、メモリ２２、キー操作部２３、表示部２４、外部インタフェース２５、無線リーダ部２６、情報コード読取部２７、無線ＬＡＮ通信部２８、Bluetooth通信部２９などが接続されている。
【００１９】
制御部２１は、マイコンを主体として構成されるものであり、ＣＰＵ、システムバス、入出力インタフェース等を有し、メモリ２２とともに情報処理装置として機能している。メモリ２２は、ＲＯＭ、ＲＡＭ、不揮発性メモリなどの公知の半導体メモリなどによって構成されており、このメモリ２２には、後述する通信方法選択処理および初期設定処理や各種情報処理を実現するための所定プログラム等が、制御部２１により実行可能に予め格納されている。
【００２０】
キー操作部２３は、複数のキーによって構成され、使用者のキー操作に応じて制御部２１に対して操作信号を与える構成をなしており、制御部２１は、キー操作部２３から操作信号を受けたとき、その操作信号に応じた動作を行うように構成されている。表示部２４は、例えば液晶表示器などによって構成されており、制御部２１によって表示内容が制御されるように構成されている。
【００２１】
外部インタフェース２５は、規格化された公知のシリアル通信方式で外部機器と通信を行う通信インタフェースとして構成されている。本実施形態では、外部インタフェース２５は、例えば、ＲＳ−２３２Ｃ方式で外部機器とシリアル通信を行うＲＳ−２３２Ｃインタフェースを有するように構成されており、制御部２１と協働してシリアル通信処理を行う構成をなしている。
【００２２】
無線リーダ部２６は、アンテナ２６ａを介してＩＣカード等の非接触通信媒体との間で電磁波による非接触通信（無線通信）を行なうことで、当該非接触通信媒体に記憶されるデータの読み取り、或いは非接触通信媒体のデータの書き込みを行うように機能する。例えば、電子マネーを利用可能なＩＣカードであれば、無線リーダ部２６は、当該ＩＣカードに記憶される電子マネーに関するデータの読み取りや書き込み（更新）を行うように機能する。この無線リーダ部２６は、公知の電波方式で伝送を行う回路として構成されており、送信回路、受信回路、整合回路などによって構成されている。なお、図２では、後述する設定用ＩＣカードＣが、無線リーダ部２６と無線通信している状態を例示している。
【００２３】
情報コード読取部２７は、読取対象物に付されたバーコード等の情報コードを光学的に読み取る光学的情報読取手段として機能するもので、照明光源や受光センサ（図略）等を備えており、照明光源からの照射光が情報コードにて反射され反射光が読取口を介して受光センサにて受光されると、この反射光に応じた受光信号を受光センサから制御部２１に出力するように構成されている。制御部２１では、この受光信号に基づいて情報コードの情報が取得されることとなる。なお、図２では、後述する設定用コードＱが、情報コード読取部２７により光学的に読み取られる状態を例示している。また、情報コード読取部２７は、特許請求の範囲に記載の「読取手段」の一例に相当し得る。
【００２４】
無線ＬＡＮ通信部２８は、公知の無線ＬＡＮ規格（IEEE 802.11等）に基づいてＷｉ−Ｆｉ等の無線ＬＡＮ通信を行う無線ＬＡＮインタフェースとして構成されており、予め定められたプロトコルに従ってアクセスポイントなどの無線通信デバイスと無線通信を行うように構成されている。
【００２５】
Bluetooth通信部２９は、公知のBluetooth通信規格に基づいて無線通信を行うBluetooth通信インタフェースとして構成されており、主として、通信制御部と無線通信部とを備えている。このうち、通信制御部は、公知のBluetooth通信規格に従って、信号の拡散や変調、フィルタリング等の処理を行うもので、主に極超短波（ＵＨＦ）によるスペクトル拡散方式を使用し、低出力での半径数十ｍの範囲での通信を行う。また、無線通信部は、ユーザデータ又はユーザプロファイルを極超短波（ＵＨＦ）に変調してアンテナ（図示略）から輻射する送信機、アンテナからの送受信極超短波（ＵＨＦ）の信号を受信する受信機等からなる無線部と、多重化された信号を変調し、変調された信号を無線部に出力するとともに、無線部により無線受信された信号を復調する変復調部とから構成されている。
【００２６】
そして、上述のように構成される外部インタフェース２５、無線ＬＡＮ通信部２８およびBluetooth通信部２９は、設定端末４０と後述するように通信するための決済端末側通信手段として機能する。
【００２７】
また、決済端末２０には、電源となるバッテリ３０や電源部３１が設けられており、これらによって制御部２１や各種電気部品に電力が供給されている。
【００２８】
次に、設定端末４０の構成について、図３を参照して説明する。なお、図３は、設定端末４０の電気的構成を概略的に例示するブロック図である。
設定端末４０は、各決済端末２０に対してそれぞれキッティング作業を行うための端末である。この設定端末４０は、キッティングセンター１に配置されるパーソナルコンピュータなどによって構成されており、図３に示すように、制御部４１、メモリ４２、入力部４３、表示部４４、通信部４５などを備えている。
【００２９】
制御部４１は、設定端末４０の全体的制御を司るものであり、ＣＰＵ、システムバス、入出力インタフェース等を有し、メモリ４２とともに情報処理装置として機能している。メモリ４２は、ＲＯＭ、ＲＡＭ、不揮発性メモリなどの公知の半導体メモリなどによって構成されており、このメモリ４２には、キッティング作業時に使用するデータベースに加えて、後述する初期設定用情報等送信処理や各種情報処理を実現するための所定プログラム等が、制御部４１により実行可能に予め格納されている。なお、メモリ４２は、「記憶手段」の一例に相当し得る。
【００３０】
入力部４３は、マウスやキーボードなどの入力デバイスによって構成されており、外部操作に応じた情報を制御部４１に与える構成をなしている。表示部４４は、液晶モニタ等によって構成されており、制御部４１の制御に応じて各種情報を表示する構成をなしている。
【００３１】
通信部４５は、複数種類の通信インタフェースによって構成されており、制御部４１により制御されて、決済端末２０を含めた外部機器と有線通信または無線通信を行う構成をなしている。なお、通信部４５は、上述した決済端末２０の外部インタフェース２５や無線ＬＡＮ通信部２８、Bluetooth通信部２９に相当する通信機能を兼ね備えるように構成されており、「設定端末側通信手段」の一例に相当し得る。
【００３２】
次に、キッティングセンター１に持ち込まれた各決済端末２０に対して設定端末４０を用いてキッティング作業を行う処理について説明する。具体的には、運用店舗Ａ、運用店舗Ｂおよび運用店舗Ｃの３つの運用店舗をキッティング作業完了後の決済端末２０の配置先とする場合において、運用店舗Ａ用の決済端末２０の３台と、運用店舗Ｂ用の決済端末２０の３台と、運用店舗Ｃ用の決済端末２０の３台との計９台に対して、初期導入時になされるキッティング作業について、図４〜図８を参照して説明する。
【００３３】
なお、図４は、設定端末４０のメモリ４２にデータベース化された初期設定用情報を例示する説明図である。図５は、決済端末２０の制御部２１にて実行される通信方法選択処理の流れを例示するフローチャートである。図６は、設定端末４０の制御部４１にて実行される初期設定用情報等送信処理の流れを例示するフローチャートである。図７は、決済端末２０の制御部２１にて実行される初期設定処理の流れを例示するフローチャートである。図８は、キッティング処理の流れを例示するシーケンス図である。
【００３４】
本実施形態に係るキッティング作業では、決済端末２０ごとに、配置先の運用店舗の所定のネットワークに対して無線ＬＡＮ通信部２８を用いて接続するための接続情報となる端末ＩＰアドレスおよび店舗アクセスポイント情報と、電子マネー用のセンターＩＰアドレスとが後述するように設定される。運用店舗ごとに異なる店舗アクセスポイントが用意されているからである。
【００３５】
このため、図４に示すように、決済端末２０を他と識別するシリアルナンバー（個体識別情報）に関連付けられて、端末ＩＰアドレスおよび店舗アクセスポイント情報が、設定端末４０のメモリ４２に初期設定用情報としてデータベース化されて記憶されている。また、本実施形態では、運用店舗Ａ〜Ｃのいずれの配置先でも利用可能な共通情報として、電子マネーセンターが管理する決済サーバに接続するための電子マネー用のセンターＩＰアドレスが用意されている。特に、本実施形態では、２種類の電子マネーを運用することから、２つの電子マネー用のセンターＩＰアドレスが図４に示すようにデータベース化されてメモリ４２に記憶されている。
【００３６】
また、本実施形態では、決済端末２０は、上述した決済端末側通信手段として構成される外部インタフェース２５、無線ＬＡＮ通信部２８およびBluetooth通信部２９のいずれかの１つの通信方法を利用して、設定端末４０から上記初期設定用情報や共通情報を取得する。このため、決済端末２０では、設定端末４０に通信可能に接続するための通信方法を選択する必要があり、本実施形態では、この選択を容易に行うために、設定端末４０と通信する通信方法を選択するための初期設定用接続情報が予め記憶される非接触通信媒体として設定用ＩＣカードＣ（図２参照）が用意されている。
【００３７】
ここで、設定端末４０との通信方法としてＷｉ−Ｆｉを選択する場合には、Ｗｉ−Ｆｉを選択するための初期設定用接続情報として、設定端末４０に接続するための設定用アクセスポイント５０に関する情報（以下、設定用アクセスポイント情報ともいう）と、設定端末４０のＩＰアドレスと、設定端末４０にて使用するポート番号とが予め記憶された設定用ＩＣカードＣを用意する。なお、図１に示す設定用アクセスポイント５０は、決済端末２０や設定端末４０がＷｉ−Ｆｉ通信時に利用するアクセスポイントであって、キッティングセンター１の所定の位置に配置されている。
【００３８】
また、設定端末４０との通信方法としてBluetoothを選択する場合には、Bluetoothを選択するための初期設定用接続情報として、設定端末４０のBluetoothアドレスが予め記憶された設定用ＩＣカードＣを用意する。また、設定端末４０との通信方法としてＲＳ−２３２Ｃを選択する場合には、ＲＳ−２３２Ｃを選択するための初期設定用接続情報として、ＩＰアドレス等の情報は記憶されずに、ＲＳ−２３２Ｃが選択されることを示す情報が予め記憶された設定用ＩＣカードＣを用意する。
【００３９】
次に、キッティングセンター１において、設定端末４０と接続する前に、決済端末２０の制御部２１にて実行される通信方法選択処理について、図５のフローチャートを参照して説明する。
梱包状態から開封して充電したバッテリ３０を装着した決済端末２０に対して、設定端末４０との通信方法を選択するための所定の操作をキー操作部２３に対して入力すると、制御部２１により通信方法選択処理が開始される。まず、図５のステップＳ１０１に示す読取準備処理がなされ、無線リーダ部２６を用いた設定用ＩＣカードＣの読み取りが可能な状態となる。次に、ステップＳ１０３に示す判定処理にて、初期設定用接続情報が読み取られたか否かについて判定され、初期設定用接続情報が読み取られるまでＮｏとの判定が繰り返される。
【００４０】
そして、図２に示すように、設定用ＩＣカードＣが決済端末２０にかざされることで、設定用ＩＣカードＣに記憶されている初期設定用接続情報が読み取られると（Ｓ１０３でＹｅｓ）、ステップＳ１０５に示す処理にて設定端末４０と通信する通信方法が選択される。なお、設定端末４０と通信する通信方法を選択する処理を行う制御部２１は、「選択手段」の一例に相当し得る。
【００４１】
ここで、Ｗｉ−Ｆｉを選択するための初期設定用接続情報が記憶された設定用ＩＣカードＣが読み取られていると、ステップＳ１０７に示す処理にて、設定端末４０と通信する通信方法としてＷｉ−Ｆｉが選択されたことを示す情報がメモリ２２に記憶される。
【００４２】
次に、ステップＳ１０９に示す処理にて、読み取られた初期設定用接続情報に含まれる設定用アクセスポイント情報に基づいて、Ｗｉ−Ｆｉ通信時に利用する設定用アクセスポイント５０と通信するための設定がなされる。続いて、ステップＳ１１１に示す処理にて、読み取られた初期設定用接続情報に含まれる設定端末４０のＩＰアドレスに基づいて、設定用アクセスポイント５０を介して設定端末４０に接続する際に利用するＩＰアドレスが設定される。続いて、ステップＳ１１３に示す処理にて、読み取られた初期設定用接続情報に含まれるポート番号に基づいて、設定端末４０との接続の際に利用するポート番号が設定される。このように、設定端末４０に接続する通信方法としてＷｉ−Ｆｉが選択されて設定されることで、本通信方法選択処理が終了する。
【００４３】
一方、Bluetoothを選択するための初期設定用接続情報が記憶された設定用ＩＣカードＣが読み取られていると、ステップＳ１１５に示す処理にて、設定端末４０と通信する通信方法としてBluetoothが選択されたことを示す情報がメモリ２２に記憶される。そして、ステップＳ１１７に示す処理にて、読み取られた初期設定用接続情報に含まれる設定端末４０のBluetoothアドレスに基づいて、設定端末４０に接続する際に利用するBluetoothアドレスが設定される。このように、設定端末４０に接続する通信方法としてBluetoothが選択されて設定されることで、本通信方法選択処理が終了する。
【００４４】
また、ＲＳ−２３２を選択するための初期設定用接続情報が記憶された設定用ＩＣカードＣが読み取られていると、ステップＳ１１９に示す処理にて、設定端末４０と通信する通信方法としてＲＳ−２３２が選択されたことを示す情報がメモリ２２に記憶される。このようにＲＳ−２３２が選択される場合には、ＩＰアドレス等が設定されることなく、通信方法選択処理が終了する。
【００４５】
次に、キッティングセンター１において、上述のように選択された通信方法を利用して設定端末４０と接続することで決済端末２０のキッティング作業を行う際になされるキッティング処理、具体的には、制御部４１にて実行される初期設定用情報等送信処理と制御部２１にて実行される初期設定処理とについて、図６〜図８を参照して説明する。なお、以下の説明では、図１に示すように、上述した通信方法選択処理によりＷｉ−Ｆｉが選択された場合について詳述する。
【００４６】
まず、設定端末４０の制御部４１にて実行される初期設定用情報等送信処理について、図６のフローチャート等を参照して説明する。
入力部４３に対して所定の操作がなされることで、制御部４１により初期設定用情報等送信処理が開始されると、まず、図６のステップＳ２０１に示す判定処理にて、個体識別情報を受信したか否かについて判定され、個体識別情報を受信するまでＮｏとの判定が繰り返される。
【００４７】
そして、後述するように決済端末２０から送信された個体識別情報を設定用アクセスポイント５０を介して通信部４５にて受信すると（Ｓ２０１でＹｅｓ）、ステップＳ２０３に示す初期設定用情報等選択処理がなされる。この処理では、受信した個体識別情報に関連付けられてメモリ４２のデータベースに記憶される端末ＩＰアドレスおよび店舗アクセスポイント情報と２つの電子マネー用のセンターＩＰアドレスとが選択される（図８のＦ２参照）。続いて、ステップＳ２０５に示す送信処理がなされて、上述のように選択された端末ＩＰアドレス、店舗アクセスポイント情報および２つの電子マネー用のセンターＩＰアドレスが、初期設定用情報等の送信を要求した決済端末２０に対して通信部４５を用いて送信される（図８のＦ３参照）。なお、送信処理を実行する制御部４１は、「送信手段」の一例に相当し得る。
【００４８】
次に、決済端末２０の制御部２１にて実行される初期設定処理について、図７のフローチャート等を参照して説明する。
上述のように通信方法選択処理により設定端末４０との通信方法が選択されて設定された後、キッティング作業を開始するための所定の操作をキー操作部２３に対して入力すると、制御部２１により初期設定処理が開始される。まず、図７のステップＳ３０１に示す個体識別情報送信処理がなされる。この処理では、個体識別情報として決済端末２０のシリアルナンバーが、上述のように設定された通信方法（Ｗｉ−Ｆｉ）にて無線ＬＡＮ通信部２８を用いて、初期設定用情報の送信を要求するために、設定用アクセスポイント５０を介して設定端末４０に送信される（図８のＦ１参照）。
【００４９】
そして、上述した要求に応じて設定端末４０から送信された初期設定用情報等を（Ｓ２０５参照）、設定用アクセスポイント５０を介して無線ＬＡＮ通信部２８にて受信すると（Ｓ３０３でＹｅｓ）、ステップＳ３０５に示す通信設定処理がなされる（図８のＦ４参照）。この処理では、受信した初期設定用情報等のうち端末ＩＰアドレスおよび店舗アクセスポイント情報の接続情報に基づいて、通信設定がなされることで、配置先の運用店舗の所定のネットワークに接続可能な状態となる。なお、通信設定処理を実行する制御部２１は、「設定手段」の一例に相当し得る。
【００５０】
これにより、図４からわかるように、９台の決済端末２０に対して同じ入力操作を行う場合でも、それぞれ個別の端末ＩＰアドレスが設定されるだけでなく、運用店舗Ａ用の決済端末２０には、運用店舗Ａ用の店舗アクセスポイント情報が設定され、運用店舗Ｂ用の決済端末２０には、運用店舗Ｂ用の店舗アクセスポイント情報が設定され、運用店舗Ｃ用の決済端末２０には、運用店舗Ｃ用の店舗アクセスポイント情報が設定される。
【００５１】
また、上記通信設定処理では、受信した初期設定用情報等のうち電子マネー用のセンターＩＰアドレスに基づいて通信設定がなされることで、配置先のネットワークを介して電子マネーセンターが管理する決済サーバに接続可能な状態となる。特に、本実施形態では、２つの電子マネー用のセンターＩＰアドレスが用意されていることから、各決済端末２０は、それぞれの配置先にて２つの決済サーバに接続可能な状態となる。
【００５２】
このように通信設定処理がなされることで本初期設定処理が終了した後、各決済端末２０は、予め決められた配置先に配送される。配置先に配送された各決済端末２０は、別途、設定作業を行うことなく店舗アクセスポイントを介して配送先のネットワークに接続可能であるため、この配送先のネットワークを介して様々なデータを容易に取得できる。このため、各運用店舗では、初期設定に時間をかけることなく配送された決済端末２０を用いた運用を開始することができる。
【００５３】
なお、決済端末２０において、初期設定処理（図７参照）は、通信方法選択処理（図５参照）の終了後に所定の操作がキー操作部２３に対して入力されることで実行されることに限らず、所定の操作を必要とすることなく通信方法選択処理の終了後、直ちに実行されてもよい。
【００５４】
以上説明したように、本実施形態に係る決済システム１０では、キッティングセンター１に配置される設定端末４０は、決済端末２０からの要求に応じて当該決済端末２０を識別する個体識別情報に対応してメモリ４２に記憶される初期設定用情報等を、その決済端末２０に対して通信部４５を用いて送信する。そして、決済端末２０は、キッティングセンター１にて、上記要求に応じて設定端末４０から決済端末側通信手段（外部インタフェース２５、無線ＬＡＮ通信部２８、Bluetooth通信部２９）を介して取得した初期設定用情報等に基づいて、当該決済端末２０に対する初期設定作業が行われた後、決められた配置先に配送される。
【００５５】
これにより、キッティングセンター１にて設定端末４０を用いて初期設定作業（キッティング作業）がなされた決済端末２０が、決められた配置先にそれぞれ配送されて運用されるため、初期設定作業がなされることなく配置先に配送された決済端末２０に対して個々に初期設定作業がなされる場合と比較して、より多くの決済端末２０に対して一括して初期設定作業を行うことができ、初期設定作業の効率化を図ることができる。特に、決済端末２０では、設定端末４０に対して要求するだけで初期設定用情報が取得されるため、作業者等がデータ等を手入力操作する必要もないので、入力ミスに基づく初期設定ミスを防止することができる。したがって、携帯通信端末等を別途用意することなく、初期設定作業の効率化を図るとともに初期設定ミスを防止することができる。
【００５６】
さらに、初期設定用情報には、配置先にて所定のネットワークに接続するための接続情報として端末ＩＰアドレスおよび店舗アクセスポイント情報が含まれるため、配置先に配送された決済端末２０は、別途、初期設定作業を行うことなく所定のネットワークに接続することができる。これにより、配置先が所定のネットワークへの接続を必要とする使用環境であっても、初期設定作業の効率化を図るとともに初期設定ミスを防止することができる。
【００５７】
特に、決済端末２０において、決済端末側通信手段（外部インタフェース２５、無線ＬＡＮ通信部２８、Bluetooth通信部２９）を用いて非接触通信媒体（設定用ＩＣカードＣ）と通信することで取得した初期設定用接続情報に基づいて、設定端末４０と通信する通信方法が選択されて設定される。これにより、決済端末２０と設定端末４０との間の通信方法として、Ｗｉ−ＦｉやBluetooth等、複数種類の通信方法を利用可能であっても、非接触通信媒体と通信することで１つの通信方法を容易に選択して設定することができる。
【００５８】
なお、キッティング作業を行う決済端末が情報コード読取部２７のような光学的情報読取手段を有する場合には、初期設定用接続情報が光学的に読み取り可能に記憶された情報コード（以下、設定用コードＱともいう：図２参照）を別途用意し、上記通信方法選択処理において、設定用コードＱを光学的情報読取手段を用いて読み取ることで取得した初期設定用接続情報に基づいて、設定端末４０と通信する通信方法が選択されて設定されてもよい。なお、上記設定用コードＱは、例えば、一般的なＱＲコード（登録商標）として構成することができる。
【００５９】
このようにしても、決済端末２０と設定端末４０との間の通信方法として、Ｗｉ−ＦｉやBluetooth等、複数種類の通信方法を利用可能であっても、設定用コードＱを読み取ることで１つの通信方法を容易に選択して設定することができる。
【００６０】
なお、初期設定用接続情報の秘匿性を高めるため、上記設定用コードＱとして一部非公開コードを採用することができる。この一部非公開コードは、公開領域と、復号鍵を用いて復号可能に暗号化された情報が記録される非公開領域とを有する情報コードとして構成される。このため、非公開領域に初期設定用接続情報を記録することで、復号鍵を有しないコードリーダでは、公開領域に記録された情報しか読み取ることができず、他に情報が記録されていることさえ認識できないため、初期設定用接続情報の秘匿性を高めることができる。また、設定用ＩＣカードＣを用いる場合でも、初期設定用接続情報の秘匿性を高めるために、初期設定用接続情報に対して所定の暗号化処理を施すことができる。
【００６１】
また、初期設定用情報等送信処理では、決済端末２０からの要求に応じて、初期設定用情報に加えていずれの配置先でも利用可能な共通情報として２つの電子マネー用のセンターＩＰアドレスが、その決済端末２０に対して通信部４５を用いて送信される。これにより、共通情報に基づく設定作業をキッティングセンター１にて行うことができ、初期設定作業だけでなく通常運用のための設定作業の少なくとも一部をも配置先への配送前に行うことができる。
【００６２】
なお、初期設定用情報に加えて送信される共通情報は、２つの電子マネー用のセンターＩＰアドレスに限らず、１つまたは３つ以上の電子マネー用のセンターＩＰアドレスであってもよいし、いずれの配置先でも利用可能な他の共通情報であってもよい。
【００６３】
なお、本発明は上記実施形態に限定されるものではなく、例えば、以下のように具体化してもよい。
（１）ステップＳ２０５に示す送信処理では、初期設定用情報等の秘匿性を高めるため、初期設定用情報等の少なくとも一部に対して制御部４１にて実行される暗号化処理により暗号化された情報を決済端末２０に対して送信してもよい。このように、送信される情報の少なくとも一部が暗号化されるため、決済に関連するような秘匿性の高い情報でも安全に送信でき、キッティング作業に関するセキュリティ性を高めることができる。なお、制御部４１は、「暗号化手段」の一例に相当し得る。
【００６４】
（２）キッティングセンター１にて設定端末４０を用いてキッティング作業を行う決済端末としては、情報コード読取部２７のような光学的情報読取手段を兼ね備える携帯型の決済端末に限ることなく、例えば、決済時にＩＣカードと無線通信するための通信装置のような決済端末の一部であってもよいし、据え置き型の決済端末であってもよい。
【００６５】
（３）納品段階から予め決められた通信方法にて設定端末４０と通信可能な決済端末であれば、その決済端末では、上記通信方法選択処理を実行することなく、その予め決められた通信方法を利用することを前提に上記初期設定処理を実行してもよい。
【符号の説明】
【００６６】
１…キッティングセンター
１０…決済システム
２０…決済端末
２１…制御部（設定手段，選択手段）
２５…外部インタフェース（決済端末側通信手段）
２６…無線リーダ部
２８…無線ＬＡＮ通信部（決済端末側通信手段）
２９…Bluetooth通信部（決済端末側通信手段）
４０…設定端末
４１…制御部（送信手段，暗号化手段）
４２…メモリ（記憶手段）
４５…通信部（設定端末側通信手段）
【図１】
2016012297.tif 000003
【図２】
2016012297.tif 000004
【図３】
2016012297.tif 000005
【図４】
2016012297.tif 000006
【図５】
2016012297.tif 000007
【図６】
2016012297.tif 000008
【図７】
2016012297.tif 000009
【図８】
2016012297.tif 000010